(57)【要約】【課題】簡易に構成でき、必要なときに壁パネルを容易に固定することができる可動壁装置を提供する。【解決手段】吊りボルト４は、下部において壁パネル５に上下方向に固定され、上部において吊車３に対して相対上下動自在で下方に抜け止めされる。吊りボルト４の上端は、ハンガレール２の天面に接離可能である。パネル５の移動時には、吊りボルト４の上端とハンガレール２の天面との間に間隙Ｇが形成される。壁パネル５の下部には、当該壁パネル５を吊りボルト４と一体に床Ｆ上に押し上げる押上脚１８が設けられる。押上脚１８による壁パネル５の押し上げ時に、吊りボルト４の上端がハンガレール２の天面に当接してハンガレール２と床Ｆとの間に壁パネル５を固定する。【選択図】図１
2014084655.tif 000002
【特許請求の範囲】
【請求項１】
天井に架設される断面形状が概略Ｃ字状のハンガレールと、このハンガレールに走行可能に支持される吊車と、この吊車に吊りボルトを介して吊り下げられる壁パネルとを具備し、当該壁パネルが移動及び固定可能に構成される可動壁装置であって、
前記吊りボルトは、下部において前記壁パネルに上下方向に固定され、上部において前記吊車に対して相対上下動自在で下方に抜け止めされ、かつ上端が前記ハンガレールの天面に接離可能で、パネルの移動時には上端とハンガレールの天面との間に間隙が形成され、
前記壁パネルの下部には、当該壁パネルを前記吊りボルトと一体に床上に押し上げる押上脚が設けられ、当該押上脚による押し上げ時に、吊りボルトの上端がハンガレールの天面に当接して前記ハンガレールと床との間に壁パネルを固定可能としたことを特徴とする可動壁装置。
【請求項２】
前記吊りボルトは、下端において前記壁パネルに沿って所定範囲で移動自在の遊動吊車に結合され、
前記壁パネルの押し上げ時に前記遊動吊車の下面に当接するように、当該遊動吊車の下方に間隔を置いて、壁パネル内に落下止めブロックが固着され、
前記押上脚による前記壁パネルの押し上げ時に、前記落下止めブロック、前記遊動吊車及び前記吊りボルトの３者が一体化することにより吊りボルトの上端がハンガレールの天面に当接して前記ハンガレールと床との間に壁パネルを固定可能としたことを特徴とする請求項１に記載の可動壁装置。
【請求項３】
前記吊りボルトは、上端に前記ハンガレールの天面に接離可能な当接部材を有することを特徴とする請求項１又は２に記載の可動壁装置。
【請求項４】
前記当接部材は、硬質ゴムで構成されることを特徴とする請求項３に記載の可動壁装置。
【請求項５】
前記吊車の車体は、前記吊りボルトを相対上下動自在に貫通させる貫通孔と、当該貫通孔の上端に連続して上方に開放する当該貫通孔より大径の拡大凹部とを具備し、
前記吊りボルトは、前記吊車の貫通孔を相対上下動自在に貫通する貫通部と、前記拡大凹部に受け入れられる拡大頭部とを具備し、当該拡大頭部上に前記硬質ゴム製の当接部材が固着されることを特徴とする請求項１ないし４のいずれかに記載の可動壁装置。
【発明の詳細な説明】
【技術分野】
【０００１】
本発明は、展示場や多目的ホール等の空間を仕切る可動壁装置に関する。
【背景技術】
【０００２】
従来、可動壁装置は、天井に架設されるハンガレールと、このハンガレールに走行可能に支持される吊車と、この吊車に吊りボルトを介して吊り下げられる壁パネルとを具備し、当該壁パネルをハンガレールに沿って移動したり、所定位置で固定したりできるように構成される。壁パネルを固定して使用する場合に、壁パネルの移動を阻止するため、壁パネルの下端にジャッキ方式のストッパーを設けることが行われている。この方式は、壁パネルの自重をジャッキにより床上に支持することによる抵抗で壁パネルを床上の固定するものである。壁パネルがレールの延長方向に沿って配置されている場合には、壁パネルの面方向、すなわちハンガレールの延線直交方向への移動は考慮しなくてよいから、この方式で有効に壁パネルを固定できる。
しかし、壁パネルがレールの延線直交方向に配置される場合、すなわち、壁パネルが２つの吊車で２本の平行なハンガレールに吊られる場合、ジャッキ式ストッパーで壁パネルが押し上げられると、吊車が無加重となり、壁パネルの面方向へ移動抵抗が小さくなることと相まって、壁パネルの上部がレールに沿って面方向へ揺れ動きやすくなる。
このため、吊車自体をハンガレールに固定する構成を備えたものが特許文献1に記載されている。この可動壁装置においては、壁パネルの下端にジャッキ方式のストッパーが設けられるほか、吊車のブロックに制動ピンが組み込まれ、これを壁パネルの下部から操作する遠隔操作機構が壁パネル内に設けられる。壁パネルを固定する場合には、ストッパーを床面に圧着させると共に、遠隔操作機構により吊車の制動ピンを操作して、これを吊車ブロックの側面及び上面から突出させ、ハンガレールの内壁面に圧接させる。
【先行技術文献】
【特許文献】
【０００３】
【特許文献１】特許第３１４８８８５号公報
【発明の概要】
【発明が解決しようとする課題】
【０００４】
上記従来の可動壁装置は、吊車ブロックに制動ピンを出没自在に組み込む構成及びそれの遠隔操作機構が複雑で、コスト高になるという課題がある。
したがって、本発明は、構造が複雑な制動ピンの出没機構等を用いずに、簡易に構成でき、必要なときに壁パネルを容易に固定することができる可動壁装置を提供することを目的としている。
【課題を解決するための手段】
【０００５】
以下、添付図面の符号を参照して説明するが、本発明はこれに限定されるものではない。
上記課題を解決するための、本発明の可動壁装置１は、天井に架設される断面形状が概略Ｃ字状のハンガレール２と、このハンガレール２に走行可能に支持される吊車３と、この吊車３に吊りボルト４を介して吊り下げられる壁パネル５とを具備し、壁パネル５が移動及び固定可能に構成される可動壁装置である。吊りボルト４は、下部において壁パネル５に上下方向に固定され、上部において吊車３に対して相対上下動自在で下方に抜け止めされる。吊りボルト４の上端は、ハンガレール２の天面に接離可能である。パネル５の移動時には、吊りボルト４の上端とハンガレール２の天面との間に間隙Ｇが形成される。壁パネル５の下部には、当該壁パネル５を吊りボルト４と一体に床Ｆ上に押し上げる押上脚１８が設けられる。押上脚１８による壁パネル５の押し上げ時に、吊りボルト４の上端がハンガレール２の天面に当接してハンガレール２と床Ｆとの間に壁パネル５を固定する。
【発明の効果】
【０００６】
本発明の可動壁装置は、構造が簡易で、比較的安価に得られ、また壁パネルを容易に固定することができるという効果を有する。
【図面の簡単な説明】
【０００７】
【図１】本発明に係る可動壁装置の一部を切欠した正面図である。
【図２】図１の可動壁装置の一部を切欠した側面図である。
【図３】図１の可動壁装置の概略的斜視図である。
【図４】図１の可動壁装置の全体構造を示す正面図である。
【図５】本発明に係る可動壁装置の他の実施形態の一部を示す正面図である。
【図６】本発明に係る可動壁装置のさらに他の実施形態の一部を示す正面図である。
【発明を実施するための形態】
【０００８】
図面を参照して本発明の実施の形態を説明する。
可動壁装置１は、天井に架設される断面形状が概略Ｃ字状のハンガレール２と、このハンガレール２に走行可能に支持される吊車３と、この吊車３に吊りボルト４を介して吊り下げられる壁パネル５とを具備する。
【０００９】
ハンガレール２は、吊りボルト４を垂下させるように下方に開放する割溝６と、その両側の走行部７とを有し、内側天面には下方に突出して延長方向に延びるガイド突条８が形成される。
【００１０】
吊車３は、概略直方体状の車体ブロック９と、その側面に軸支される走行車輪１０と、上部に軸支されるガイドローラ１１とを具備する。走行車輪１０は、ハンガレール２の走行部７上を転動し、ガイドローラ１１は、ガイド突条８の両側面上を転動する。車体ブロック９は、吊りボルト４を相対上下動自在に貫通させる貫通孔１２と、当該貫通孔１２の上端に連続して上方に開放する大径の拡大凹部１３とを具備する。
【００１１】
吊りボルト４は、下部において壁パネル５に上下方向に固定され、上部において吊車３に対して相対上下動自在で下方に抜け止めされ、かつ上端がハンガレール２の天面に接離可能である。すなわち、吊りボルト４は、下端において壁パネル５の上枠１４に固着され、上方へ延出してハンガレール２の割溝６を通り、貫通部１５において吊車３の貫通孔１２を自由に貫通し、上端の拡大頭部１６が吊車３の拡大凹部１３に保持される。吊りボルト４の拡大頭部１６上に、硬質ゴム製の当接部材１７が固着される。常時は、当接部材１７とハンガレール２の天面、すなわち、ガイド突条８の下面との間には間隙Ｇが形成され、吊車３はハンガレール２内を走行可能である。
【００１２】
ハンガレール２の下部には、当該壁パネル５を吊りボルト４と一体に床Ｆ上に押し上げるジャッキ式の押上脚１８が設けられる。押上脚１８を回転させて壁パネル５の下方へ突出させることにより、相対的に壁パネル５を床Ｆ上へ押し上げると、吊りボルト４の上端の当接部材１７が、ハンガレール２のガイド突条８の下面に当接し、ハンガレール２と床Ｆとの間に壁パネル５が固定される。このようにすると、図４に示すように、２本のハンガレール２に対して、それの延長方向と直交する方向に壁パネル５が吊られる場合に、壁パネル５の上部が面方向へ不用意に揺れ動くことが阻止される。例えば、壁パネル５を展示パネルに適用し、壁面に展示物を吊るような場合に、展示作業時の外力による予期しない揺動が有効に防止できる。
【００１３】
図５に示す他の実施形態においては、吊車６上部のガイドローラと、これに対応するハンガレール２のガイド突条がなく、これに代わって、吊車６の下部に、ハンガレール２の割溝６に沿って転動するガイドベアリング１９が設けられる。
【００１４】
図６に示すさらに他の実施形態においては、吊りボルト４の下端が遊動吊車２０に結合され、この遊動吊車２０が、壁パネル５に沿って所定範囲で移動自在に構成される。壁パネル５内の上部には、押し上げ時に遊動吊車２０の下面に当接するように、下方に間隔Ｈを置いて落下止めブロック２１が固着される。押上脚１８による壁パネル５の押し上げ時に、落下止めブロック２１、遊動吊車２０及び吊りボルト４の３者が一体化することにより、吊りボルト４の上端がハンガレール２の天面に当接して、ハンガレール２と床Ｆとの間に壁パネル５を固定可能である。
【符号の説明】
【００１５】
１    可動壁装置
２    ハンガレール
３    吊車
４    吊りボルト
５    壁パネル
６    割溝
７    走行部
８    ガイド突条
９    車体ブロック
１０  走行車輪
１１  ガイドローラ
１２  貫通孔
１３  拡大凹部
１４  上枠
１５  貫通部
１６  拡大頭部
１７  当接部材
１８  押上脚
１９  ガイドベアリング
２０  遊動吊車
２１  落下止めブロック
Ｆ    床
Ｇ    間隙
Ｈ    間隔
【図１】
2014084655.tif 000003
【図２】
2014084655.tif 000004
【図３】
2014084655.tif 000005
【図４】
2014084655.tif 000006
【図５】
2014084655.tif 000007
【図６】
2014084655.tif 000008